(57)【要約】  本発明は、電極接続素子、これを備える発光装置及び発光装置の製造方法に係り、さらに詳しくは、電極端子と外部駆動回路とを電気的に接続するための電極接続素子、これを備える発光装置及び発光装置の製造方法に関する。  本発明の実施形態に係る電極接続素子は、基板の上に形成される電極端子の上面に接触される上接続部材と、前記基板の下面を支持する下接続部材と、前記上接続部材及び下接続部材を連結する連結部材と、を備える。
2021513721.tif 000002
【特許請求の範囲】
【請求項１】
基板の上に形成される電極端子の上面に接触される上接続部材と、
前記基板の下面を支持する下接続部材と、
前記上接続部材及び下接続部材を連結する連結部材と、
前記基板と前記下接続部材との間に配設されて、前記電極端子の上面と前記上接続部材との間の接触を保持するための弾性部材と、
を備える電極接続素子。
【請求項２】
前記電極端子は、導電性を有する非金属物質から形成され、
前記上接続部材は、導電性を有する金属物質から形成される請求項１に記載の電極接続素子。
【請求項３】
前記連結部材は、前記上接続部材の両端からそれぞれ折り曲げられて形成される第１の連結部材及び第２の連結部材を備え、
前記下接続部材は、前記第１の連結部材及び第２の連結部材からそれぞれ折り曲げられて形成される第１の下接続部材及び第２の下接続部材を備える請求項１に記載の電極接続素子。
【請求項４】
前記第１の下接続部材及び第２の下接続部材は、
前記第１の連結部材及び第２の連結部材が向かい合う方向に折り曲げられて形成され、
前記弾性部材は、前記第１の下接続部材及び第２の下接続部材の上に支持されて前記基板を付勢する請求項３に記載の電極接続素子。
【請求項５】
前記弾性部材は、中心部が前記基板の下面に向かって突出するように曲成される請求項４に記載の電極接続素子。
【請求項６】
前記上接続部材は、底面から突設される複数の突起部を備える請求項１に記載の電極接続素子。
【請求項７】
前記連結部材は、ボルトとナットまたはリベットを含む請求項１に記載の電極接続素子。
【請求項８】
活性領域と非活性領域とを有する基板と、
前記活性領域の上に形成される発光素子と、
前記非活性領域の上に形成され、前記発光素子に電源を供給するように前記基板に弾性支持されて結合される電極接続素子と、
を備える発光装置。
【請求項９】
前記発光素子は、
前記非活性領域の上に延びる電極端子を備え、
前記電極接続素子の一方の側は前記電極端子に接触され、前記電極接続素子の他方の側は前記基板に接触される請求項８に記載の発光装置。
【請求項１０】
前記電極接続素子は、前記基板を貫通して結合される請求項８に記載の発光装置。
【請求項１１】
前記電極接続素子は、前記基板の一方の側面に結合される請求項８に記載の発光装置。
【請求項１２】
活性領域と非活性領域とを有する基板を設けるステップと、
前記活性領域の上に発光素子を形成するステップと、
前記非活性領域の上に、前記基板に弾性支持されて前記発光素子に電源を供給するための電極接続素子を形成するステップと、
を含む発光装置の製造方法。
【請求項１３】
前記電極接続素子を形成するステップは、
前記基板を貫通する貫通孔を形成するステップと、
前記貫通孔を介して前記電極接続素子を固定するステップと、
を含む請求項１２に記載の発光装置の製造方法。
【請求項１４】
前記電極接続素子を固定するステップは、
前記基板の上に、水平部及び前記水平部の両端からそれぞれ下向きに折り曲げられた垂直部を備えるプレート部材を配設するステップと、
前記基板の下に、中心部が前記基板の底面に向かって突出するように曲成される弾性部材を配設するステップと、
前記貫通孔に前記垂直部を嵌合するステップと、
前記弾性部材が支持されるように前記基板の下面から露出される前記垂直部を内側に折り曲げるステップと、
を含む請求項１３に記載の発光装置の製造方法。
【請求項１５】
前記電極接続素子に外部駆動回路と連結されるための配線ラインを半田付けするステップをさらに含む請求項１２に記載の発光装置の製造方法。
【発明の詳細な説明】
【技術分野】
【０００１】
本発明は、電極接続素子、これを備える発光装置及び発光装置の製造方法に係り、さらに詳しくは、電極端子と外部駆動回路とを電気的に接続するための電極接続素子、これを備える発光装置及び発光装置の製造方法に関する。
【背景技術】
【０００２】
発光装置とは、化合物半導体の特性を用いて、電気的信号を赤外線または光に変換して信号を授受したり光源として用いられたりする装置のことをいう。
【０００３】
発光装置は、電気的な信号を視覚的に表わすための技術が急速に発展することに伴い、薄型化、軽量化、低消費電力化などの優れた特性を示すための研究及び開発が集中的に行われており、中でも、有機発光装置は、自発光型有機発光素子を用いて、薄肉化を図り、曲げられる照明及びディスプレイなど多種多様な応用製品に適用されている。
【０００４】
この種の発光装置は、外部駆動回路から印加される電気的な信号により光を放出する。
【０００５】
発光装置に外部駆動回路から電気的な信号を印加するためには、一般に、フィルムオンガラス（ＦＯＧ：Ｆｉｌｍ  ｏｎ  Ｇｌａｓｓ）ボンディング方式が用いられる。ＦＯＧボンディング方式とは、ガラスに形成される電極に、接着性樹脂フィルム内に導電粒子が分散された異方性導電フィルム（ＡＣＦ：Ａｎｉｓｏｔｒｏｐｉｃ  Ｃｏｎｄｕｃｔｉｖｅ  Ｆｉｌｍ）を貼り付け、異方性導電フィルムの上に軟性プリント回路基板（ＦＰＣＢ：Ｆｌｅｘｉｂｌｅ  Ｐｒｉｎｔｅｄ  Ｃｉｒｃｕｉｔ  Ｂｏａｒｄ）を配置して適切な圧力にて押し付けて軟性プリント回路基板とガラスに形成される電極とを電気的に接続する方式のことをいう。
【０００６】
しかしながら、このような異方性導電フィルムを用いた電気的な信号の印加方式は、多数の工程により行われて、ボンディング過程にかかる作業時間が長引き、これにより、生産性及び作業効率が低下してしまうという問題があった。
【先行技術文献】
【特許文献】
【０００７】
【特許文献１】大韓民国公開特許第１０−２００４−００８５８９７号公報
【発明の概要】
【発明が解決しようとする課題】
【０００８】
本発明は、簡素化した工程により電極端子と外部駆動回路とを信頼性よく電気的に接続することのできる電極接続素子、これを備える発光装置及び発光装置の製造方法を提供する。
【課題を解決するための手段】
【０００９】
本発明の実施形態に係る電極接続素子は、基板の上に形成される電極端子の上面に接触される上接続部材と、前記基板の下面を支持する下接続部材と、前記上接続部材及び下接続部材を連結する連結部材と、前記基板と下接続部材との間に配設されて、前記電極端子の上面と前記上接続部材との間の接触を保持するための弾性部材と、を備える。
【００１０】
前記電極端子は、導電性を有する非金属物質から形成され、前記上接続部材は、導電性を有する金属物質から形成されてもよい。
【００１１】
前記連結部材は、前記上接続部材の両端からそれぞれ折り曲げられて形成される第１の連結部材及び第２の連結部材を備え、前記下接続部材は、前記第１の連結部材及び第２の連結部材からそれぞれ折り曲げられて形成される第１の下接続部材及び第２の下接続部材を備えていてもよい。
【００１２】
前記第１の下接続部材及び第２の下接続部材は、前記第１の連結部材及び第２の連結部材が向かい合う方向に折り曲げられて形成され、前記弾性部材は、前記第１の下接続部材及び第２の下接続部材の上に支持されて前記基板を押し付けてもよい。
【００１３】
前記弾性部材は、中心部が前記基板の下面に向かって突出するように曲成されてもよい。
【００１４】
前記上接続部材は、底面から突設される複数の突起部を備えていてもよい。
【００１５】
前記連結部材は、ボルトとナットまたはリベットを含んでいてもよい。
【００１６】
また、本発明の実施形態に係る発光装置は、活性領域と非活性領域とを有する基板と、前記活性領域の上に形成される発光素子と、前記非活性領域の上に形成され、前記発光素子に電源を供給するように前記基板に弾性支持されて結合される電極接続素子と、を備える。
【００１７】
前記発光素子は、前記非活性領域の上に延びる電極端子を備え、前記電極接続素子の一方の側は前記電極端子に接触され、前記電極接続素子の他方の側は前記基板に接触されてもよい。
【００１８】
前記電極接続素子は、前記基板を貫通して結合されてもよい。
【００１９】
前記電極接続素子は、前記基板の一方の側面に結合されてもよい。
【００２０】
さらに、本発明の実施形態に係る発光装置の製造方法は、活性領域と非活性領域とを有する基板を設けるステップと、前記活性領域の上に発光素子を形成するステップと、前記非活性領域の上に、前記基板に弾性支持されて前記発光素子に電源を供給するための電極接続素子を形成するステップと、を含む。
【００２１】
前記電極接続素子を形成するステップは、前記基板を貫通する貫通孔を形成するステップと、前記貫通孔を介して前記電極接続素子を固定するステップと、を含んでいてもよい。
【００２２】
前記電極接続素子を固定するステップは、前記基板の上に、水平部及び前記水平部の両端からそれぞれ下向きに折り曲げられた垂直部を備えるプレート部材を配設するステップと、前記基板の下部に、中心部が前記基板の底面に向かって突出するように曲成される弾性部材を配設するステップと、前記貫通孔に前記垂直部を嵌合するステップと、前記弾性部材が支持されるように前記基板の下面から露出される前記垂直部を内側に折り曲げるステップと、を含んでいてもよい。
【００２３】
前記発光装置の製造方法は、前記電極接続素子に外部駆動回路と連結されるための配線ラインを半田付けするステップをさらに含んでいてもよい。
【発明の効果】
【００２４】
本発明の実施形態に係る電極接続素子、これを備える発光装置及び発光装置の製造方法によれば、異方性導電フィルムを使用せずとも、電極端子を外部駆動回路と電気的に接続することが可能になって製造コストを削減し、これに伴い、生産性を向上させることができる。
【００２５】
また、発光素子に電源を供給するための電極接続素子を基板に支持されるように物理的に固定し、固定された電極接続素子に外部駆動回路を連結することにより、外部駆動回路との電気的な接続のためのボンディング過程を簡素化させ、装備の構成を単純化させることができる。
【００２６】
のみならず、電極端子が可撓性基板の上に形成される場合、可撓性基板の繰り返し的な歪みにも拘わらず、基板との結合性を向上させることができ、これにより、外部駆動回路との電気的な接続特性及び安定性を向上させることができる。
【図面の簡単な説明】
【００２７】
【図１】従来の発光装置に外部駆動回路が連結される様子を示す図。
【図２】本発明の実施形態に係る発光装置を概略的に示す図。
【図３】本発明の一実施形態に係る電極接続素子を概略的に示す図。
【図４】本発明の他の実施形態に係る電極接続素子を概略的に示す図。
【図５】本発明の一実施形態に係る発光装置の製造方法を順次に示す図。
【図６】本発明の一実施形態に係る発光装置の製造方法を順次に示す図。
【図７】本発明の一実施形態に係る発光装置の製造方法を順次に示す図。
【図８】本発明の一実施形態に係る発光装置の製造方法を順次に示す図。
【図９】本発明の一実施形態に係る発光装置の製造方法を順次に示す図。
【図１０】本発明の他の実施形態に係る発光装置の製造方法を順次に示す図。
【図１１】本発明の他の実施形態に係る発光装置の製造方法を順次に示す図。
【図１２】本発明の他の実施形態に係る発光装置の製造方法を順次に示す図。
【発明を実施するための形態】
【００２８】
以下、添付図面に基づいて、本発明の実施形態をより詳しく説明する。しかしながら、本発明は以下に開示される実施形態に何ら限定されるものではなく、異なる様々な形態に具体化され、単にこれらの実施形態は本発明の開示を完全たるものにし、通常の知識を有する者に発明の範囲を完全に知らせるために提供されるものである。図中、同じ符号は、同じ構成要素を指し示す。
【００２９】
明細書の全般に亘って、膜、領域、または基板などのある一つの構成要素が他の構成要素の「上に」位置すると言及されたときには、前記ある一つの構成要素が直接的に前記他の構成要素の「上に」接触するか、あるいは、これらの間に介在されるさらに他の構成要素が存在する可能性があると解釈され得る。
【００３０】
また、「上部」または「下部」などの相対的な言い回しは、図示のごとく、他の要素に対するある要素の相対的な関係を述べるためにこの開示において用いられてもよい。相対的な言い回しは、図中に描かれる方向に加えて、素子の他の方向を網羅することを意図するものと理解され得る。ここで、同一の符号は、同一の要素を指し示す。
【００３１】
図１は、従来の発光装置に外部駆動回路が連結される様子を示す図である。
【００３２】
図１に示すように、従来の発光装置においては、発光素子を外部駆動回路と電気的に接続するために、接着性樹脂フィルム内に導電粒子が分散された異方性導電フィルム６０（ＡＣＦ：Ａｎｉｓｏｔｒｏｐｉｃ  Ｃｏｎｄｕｃｔｉｖｅ  Ｆｉｌｍ）を用いていた。
【００３３】
すなわち、従来の発光装置においては、基板２０の上における発光素子に備えられる電極層から延びる電極端子３０の上に、接着性樹脂フィルム内に導電粒子が分散された異方性導電フィルム６０を貼り付け、異方性導電フィルムの上に軟性プリント回路基板７０（ＦＰＣＢ：Ｆｌｅｘｉｂｌｅ  Ｐｒｉｎｔｅｄ  Ｃｉｒｃｕｉｔ  Ｂｏａｒｄ）を配置して、軟性プリント回路基板７０を基板２０の上から加圧して軟性プリント回路基板７０を発光素子に備えられる電極端子３０と電気的に接続する方式を用いていた。
【００３４】
これは、電極端子３０が導電性を有する非金属物質から形成されるためであり、導電性を有する非金属物質の場合、外部駆動回路、例えば、外部の導線またはプリント回路基板とは半田付け（ｓｏｌｄｅｒｉｎｇ）により連結できない。すなわち、金属物質と金属物質とは、半田などを用いた半田付けにより貼り合わせられて電気的に接続できるのに対し、非金属物質と金属物質とを貼り合わせるに当たっては、このような半田付け方式を用いることができなかった。
【００３５】
しかしながら、このような異方性導電フィルム６０を用いた電気的な信号の印加方式は、熱圧着工程の最中に異方性導電フィルム６０の接着性樹脂が溶融して流れ、このとき、導電粒子が樹脂の流れにつれて一緒に移動して、外部駆動回路が電気的に接続されたり、電極同士の不所望の短絡が生じたりするという問題が生じる虞がある。
【００３６】
また、異方性導電フィルム６０によるボンディング過程が別途の工程として行われ、搬入、予備及び主ボンディング、搬出といった各工程がこの順に行われて、ボンディング過程にかかる作業時間が長引き、これにより、生産性及び作業効率が低下するという問題があった。
【００３７】
このため、本発明の実施形態に係る電極接続素子は、異方性導電フィルムを使用せずとも、外部駆動回路と電極端子とを電気的に接続することのできる技術的な特徴を提示する。
【００３８】
以下では、本発明の実施形態に係る電極接続素子が基板の上に形成される発光素子の電極端子と外部駆動回路とを電気的に接続するように結合される構成を例にとって説明するが、前記電極接続素子は、発光素子の電極端子だけではなく、外部駆動回路から電源が連結される多種多様な電気的な素子にも適用可能であることはいうまでもない。
【００３９】
図２は、本発明の実施形態に係る発光装置を概略的に示す図である。また、図３は、本発明の一実施形態に係る電極接続素子を概略的に示す図であり、図４は、本発明の他の実施形態に係る電極接続素子を概略的に示す図である。
【００４０】
図２から図４を参照すると、本発明の実施形態に係る電極接続素子３００は、基板１００の上に形成される電極端子２１０の上面に接触される上接続部材３１０と、前記基板１００の下面を支持する下接続部材３５０と、前記上接続部材３１０及び下接続部材３５０を連結する連結部材３３０と、を備える。
【００４１】
また、本発明の実施形態に係る発光装置は、上記の電極接続素子３００を備えるように構成され、より詳しくは、活性領域と非活性領域とを有する基板１００と、前記活性領域の上に形成される発光素子２００と、前記非活性領域の上に形成され、前記発光素子２００に電源を供給するように前記基板１００の上下側に支持されて結合される電極接続素子３００と、を備える。
【００４２】
基板１００としては、絶縁性を有する様々な基板を用いることができる。また、基板１００は、最近、ディスプレイ分野の新技術として脚光を浴びているフレキシブルディスプレイの実現のために、可撓性を有する透明基板から形成されてもよい。この場合、基板１００は、耐熱性に優れたポリエーテルスルホン（ＰＥＳ：Ｐｏｌｙｅｔｈｅｒｓｕｌｐｈｏｎｅ）、ポリアクリレート（ＰＡＲ：Ｐｏｌｙａｃｒｙｌａｔｅ）、ポリエーテルイミド（ＰＥＩ：Ｐｏｌｙｅｈｔｅｒｉｍｉｄｅ）、ポリエチレンナフタレート（ＰＥＴ：Ｐｏｌｙｅｔｈｙｌｅｎｅｎａｐｔｈａｌａｔｅ）、ポリエチレンテレフタレート（ＰＥＴ：Ｐｏｌｙｅｈｔｙｌｅｎｅｔｅｒｅｐｔｈａｌａｔｅ）などの高分子プラスチックを用いることができる。
【００４３】
さらに、基板１００は、薄膜基板であってもよく、厚さは、０．１ｍｍ以下、好ましくは、５０〜１００μｍ以下に形成されてもよい。このように、基板１００が可撓性を有する薄肉のプラスチックなどの透明基板から形成される場合、紙のように折ったり巻いたりしても損傷されない次世代表示装置であるフレキシブル照明及びフレキシブルディスプレイを実現することができる。
【００４４】
基板１００は、活性領域と非活性領域とを有する。ここで、活性領域とは、基板１００の上に発光素子２００が形成されて照明または表示の機能を行う領域を意味し、非活性領域とは、基板１００上における活性領域以外の領域であって、外部駆動回路が電気的に接続される領域を意味する。
【００４５】
発光素子２００は、活性領域の上に形成される。ここで、発光素子２００は、自発発光現象を用いた有機化合物層を備える有機発光素子であってもよい。以下では、発光素子２００が有機発光素子であることを例にとって説明するが、発光素子２００はこれに何ら制限されるものではなく、基板１００の活性領域の上に配備されて光を放出する多種多様な構造が適用可能であることはいうまでもない。
【００４６】
発光素子２００は、基板１００の上に形成される電極層と、前記電極層の上に形成される有機化合物層と、前記有機化合物層の上に形成される導電層と、を備えていてもよい。
【００４７】
電極層と導電層は、それぞれ有機化合物層に電子と正孔を供給するためのカソード電極とアノード電極であってもよく、発光素子２００が表示装置に用いられる場合、電極層及び導電層は、それぞれデータライン及びスキャンラインを形成するように延びてもよい。この場合、電極端子２１０は、電極層または導電層から延びて基板１００の上に形成される薄膜トランジスタ（図示せず）に電気的に接続されてもよい。
【００４８】
電極端子２１０は、基板１００の活性領域の上から非活性領域の上へと延設されてもよい。電極端子２１０は、主として発光素子２００の電極層から一方の側に延設されるが、導電層もまた、発光素子２００の他方の側に延びて電極端子２１０を形成できることはいうまでもない。ここで、有機化合物層の上に形成される導電層の場合、有機発光層から基板１００に向かって光が放出される場合、必ずしも導電性を有する非金属物質から形成される必要はないが、導電層が導電性を有する非金属物質から形成される場合、導電層から延びる電極端子２１０もまた、外部駆動回路と半田付けにより連結できないという同一の問題が生じるため、これに対しても本発明の実施形態が同様に適用可能であることはいうまでもない。
【００４９】
電極層は、酸化インジウムスズ（ＩＴＯ：Ｉｎｄｉｕｍ  Ｔｉｎ  Ｏｘｉｄｅ）、酸化インジウム亜鉛（ＩＺＯ：Ｉｎｄｉｕｍ  Ｚｉｎｃ  Ｏｘｉｄｅ）、酸化インジウムスズ亜鉛（ＩＴＺＯ：Ｉｎｄｉｕｍ  Ｔｉｎ  Ｚｉｎｃ  Ｏｘｉｄｅ）などの透明な導電性物質から形成されてもよく、これにより、電極層の上に形成される有機化合物層から発せられる光が電極層による干渉なしに基板１００の下部に放出されるようにできる。
【００５０】
電極層の上には、前述した導電層との間において有機化合物層が形成される。図示はしないが、有機化合物層は、正孔注入層、正孔輸送層、発光層、電子輸送層及び電子注入層が積層されて形成されてもよい。有機化合物層では、外部駆動回路から駆動信号が印加されれば、電極層及び導電層からそれぞれ電子と正孔が放出され、放出された電子と正孔が発光層内において再結合しながら可視光を発する。このとき、発せられた可視光は、透明な導電性物質から形成される電極層を介して基板１００の下部に放出されて対象物を照明したり、所定の画像または映像を表示したりする機能を行うことができる。
【００５１】
電極接続素子３００は、前記基板１００の非活性領域の上に形成されてもよく、前記発光素子２００に電源を供給するように前記基板１００の上下側に支持されて結合される。すなわち、電極接続素子３００は、前記電極層から非活性領域の上に延びる電極端子２１０と接触されて電気的に接続され、このような電極接続素子３００は、基板１００の上側及び下側において支持されて前記電極端子２１０及び基板１００に物理的に結合されるような構造を有する。
【００５２】
前述したように、電極接続素子３００は、基板１００の上に形成される電極端子２１０の上面に接触される上接続部材３１０と、前記基板１００の下面を支持する下接続部材３５０と、前記上接続部材３１０及び下接続部材３５０を連結する連結部材３３０と、を備える。すなわち、上接続部材３１０は、基板１００の上側、より詳しくは、基板１００の非活性領域の上に延びる電極端子２１０の上に位置し、電極端子２１０と接触されて電気的に接続される。このために、前記上接続部材３１０は、導電性を有する金属物質から形成されてもよい。また、下接続部材３５０は、基板１００の下側に位置し、基板１００の下面を加圧して支持する。ここで、連結部材３３０は、上接続部材３１０と下接続部材３５０とを連結し、これにより、電極接続素子３００は基板１００の上下側に支持されて結合されることが可能になる。
【００５３】
このように、電極接続素子３００は、上接続部材３１０により基板１００上の電極端子２１０と接触され、下接続部材３５０により基板１００の下面を加圧して支持するように基板１００を貫通して前記基板１００及び電極端子２１０に結合されてもよい。また、図示はしないが、電極接続素子３００は、連結部材３３０が上接続部材３１０の一方の端から下方へと折り曲げられて形成され、下接続部材３５０が連結部材３３０の下端から上接続部材３１０に沿った向きに延設されて基板１００の一方の側面、すなわち、基板１００の一方の側面の端部に結合できることはいうまでもない。以下では、電極接続素子３００が基板１００を貫通して前記基板１００及び電極端子２１０に結合される実施形態を例にとって説明するが、本発明の実施形態はこれに何ら制限されず、基板１００上の電極端子２１０に電気的に接続されて基板１００の上下側に支持されて結合される様々な構造に適用可能であることはいうまでもない。
【００５４】
図３に示すように、本発明の一実施形態に係る電極接続素子３００は、電極端子２１０の上面に接触される上接続部材３１０と、前記基板１００の下面を支持する下接続部材３５０と、前記上接続部材３１０及び下接続部材３５０を連結する連結部材３３０と、を備えるが、前記連結部材３３０は、前記上接続部材３１０の両端からそれぞれ折り曲げられて形成される第１の連結部材３３２及び第２の連結部材３３４を備え、前記下接続部材３５０は、前記第１の連結部材３３２及び第２の連結部材３３４からそれぞれ折り曲げられて形成される第１の下接続部材３５２及び第２の下接続部材３５４を備えていてもよい。
【００５５】
ここで、基板１００には、上記の接続部材を結合するために貫通孔が形成されてもよい。一般に、有機発光層から基板１００に向かって光が放出される場合、基板１００としては、透明性を有するガラス基板を用いることができる。しかしながら、本発明の実施形態に係る発光装置においては、電極接続素子３００を結合するために基板１００に貫通孔を形成する必要があるが、貫通孔の形成に際してひび割れなどが生じる可能性が高いガラス基板よりも、可撓性を有する透明基板を用いることが好ましい。また、貫通孔は、レーザ加工などにより基板１００に形成されてもよく、図３においては、電極端子２１０と基板１００を両方とも貫通して２本の貫通孔が形成されることを例示しているが、第１の連結部材３３２及び第２の連結部材３３４が電極端子２１０の両端の外側に配置されるように電極接続素子３００を形成する場合などには、電極端子２１０に貫通孔が形成される必要がないことはいうまでもない。
【００５６】
ここで、電極接続素子３００は、板状の部材から形成されて水平部及び前記水平部の両端からそれぞれ下向きに折り曲げられた垂直部を備えるプレート部材を加工して形成してもよい。すなわち、上接続部材３１０に対応する水平部を有し、水平部の両端からそれぞれ下向きに折り曲げられた垂直部を備えるプレート部材において、水平部の一方の端から下向きに折り曲げられた垂直部を折り曲げて第１の連結部材３３２及び第１の下接続部材３５２を形成し、水平部の他方の端から下向きに折り曲げられた垂直部を折り曲げて第２の連結部材３３４及び第２の下接続部材３５４を形成して、電極端子２１０の上面に接触される上接続部材３１０、基板１００の下面を支持する下接続部材３５０並びに前記上接続部材３１０及び下接続部材３５０を連結する連結部材３３０を備える電極接続素子３００を形成することが可能になる。このような電極接続素子３００は一体に形成されてもよく、導電性の高い金属物質を含む材質から形成されてもよい。また、上接続部材３１０の底面には、底面から突設される複数の突起部３１５が形成されてもよい。これらの突起部３１５は、上接続部材３１０と一体に形成されて上接続部材３１０と電極端子２１０との間の接触性を向上させる。突起部３１５は、上接続部材３１０の底面に対して粗さを増やすなど種々の方法により上接続部材３１０の底面に形成可能である。
【００５７】
本発明の一実施形態に係る電極接続素子３００において、第１の下接続部材３５２及び第２の下接続部材３５４は、第１の連結部材３３２と第２の連結部材３３４の外側にそれぞれ折り曲げられて形成されてもよいが、第１の連結部材３３２と第２の連結部材３３４とが向かい合う方向である内側にそれぞれ折り曲げられて形成されてもよい。いずれの場合であっても、電極接続素子３００は、第１の下接続部材３５２及び第２の下接続部材３５４により基板１００の下面を加圧して基板１００に支持可能であるが、第１の下接続部材３５２及び第２の下接続部材３５４が第１の連結部材３３２と第２の連結部材３３４とが向かい合う方向に折り曲げられて形成される場合、弾性部材３７０を第１の下接続部材３５２及び第２の下接続部材３５４の間において基板１００の下面に容易に固定することができる。
【００５８】
弾性部材３７０は、基板１００と下接続部材３５０との間に配設されて、電極端子２１０の上面と上接続部材３１０との間の接触を保持する。すなわち、弾性部材３７０は、基板１００の下面から上方へと基板１００を付勢し、これにより、電極接続素子３００が基板に弾性支持されて電極端子２１０の上面と上接続部材３１０との間の接触は保持可能である。また、弾性部材３７０の付勢により電極端子２１０の上面が上接続部材３１０と接触する接触面の面積を増加させることができる。すなわち、弾性部材３７０は、基板１００に対して上方に向かって付勢力を与え、これにより、電極端子２１０の上面と上接続部材３１０との間の接触が保持できるだけではなく、接触面の面積もまた増加させることが可能になる。なお、可撓性を有する基板を用いる場合、基板１００が折り畳まれたり巻き上がったりする場合であっても、電極端子２１０の上面と上接続部材３１０との間の接触状態を信頼性よく保持することが可能になる。
【００５９】
弾性部材３７０は、基板１００と下接続部材３５０との間に配設されて、基板１００を下から上へと付勢する様々なタイプに配設可能であるが、前述したように、第１の下接続部材３５２及び第２の下接続部材３５４が第１の連結部材３３２と第２の連結部材３３４とが向かい合う方向に折り曲げられて形成される場合、第１の下接続部材３５２及び第２の下接続部材３５４の上に弾性部材３７０の両端が支持されて基板１００を付勢してもよい。なお、弾性部材３７０は、中心部が基板１００の下面に向かって突出するように曲成されて基板１００を下から弾性的に付勢することができる。この場合、弾性部材３７０は、導電性を有する金属物質から形成される必要がなく、むしろ短絡などの不良が生じることを防ぐために絶縁性を有する物質から形成されてもよい。
【００６０】
これに対し、図４に示すように、本発明の他の実施形態に係る電極接続素子３００は、電極端子２１０の上面に接触される上接続部材３１０と、前記基板１００の下面を支持する下接続部材３５０と、前記上接続部材３１０及び下接続部材３５０を連結する連結部材３３０と、を備えるが、前記連結部材３３０は、ボルトとナットを含むものから構成されてもよく、あるいは、リベットから構成されてもよい。
【００６１】
ここでも、基板１００には、上記の接続部材を結合するために貫通孔が形成されてもよい。このため、基板１００としては、貫通孔の形成に際してひび割れなどが生じる可能性が高いガラス基板よりも、可撓性を有する透明基板を用いることが好ましく、基板１００または基板１００及び電極端子２１０には、レーザ加工などにより１本の貫通孔が形成されてもよい。
【００６２】
ここで、電極接続素子３００は、貫設された上接続部材３１０を電極端子２１０の上に配置し、貫設された下接続部材３５０を基板１００の下に配置して、前記上接続部材３１０と下接続部材３５０とをボルトとナットで固定したり、リベットにより固定したりして形成してもよい。すなわち、電極接続素子３００は、電極端子２１０の上に配置された上接続部材３１０と基板１００の下に配置された下接続部材３５０に対して上接続部材３１０の上からボルトを嵌入させ、基板１００の下面から露出されるボルトにナットを締め付けたり、上接続部材３１０の上からリベットを嵌入させ、基板１００の下面から露出されるリベットの端部を加工したりして、電極端子２１０の上面に接触される上接続部材３１０、基板１００の下面を支持する下接続部材３５０並びに前記上接続部材３１０及び下接続部材３５０を連結する連結部材３３０を備える電極接続素子３００を形成することが可能になる。この場合、図示はしないが、電極接続素子３００は、基板１００の下面から露出されるボルトまたはリベットに結合されて基板１００を付勢する弾性部材をさらに備えていてもよいことはいうまでもない。
【００６３】
ここで、上接続部材３１０は、導電性の高い金属物質を含む材質から形成されてもよく、底面から突設される複数の突起部３１５を備えていてもよい。また、本発明の他の実施形態に係る電極接続素子３００は、電極端子２１０または基板１００の表面を保護し、ボルトとナットの締め付け力を向上させるために、電極端子２１０の上または基板１００の下に配置されるワッシャをさらに備えていてもよいことはいうまでもない。
【００６４】
以下において、本発明の実施形態に係る発光装置の製造方法について詳しく説明する。本発明の実施形態に係る発光装置の製造方法について説明するに当たって、本発明の実施形態に係る発光装置と関連して前述した内容と重複する内容についての説明は省略する。
【００６５】
図５から図９は、本発明の一実施形態に係る発光装置の製造方法を順次に示す図であり、図１０から図１２は、本発明の他の実施形態に係る発光装置の製造方法を順次に示す図である。
【００６６】
図５から図１２を参照すると、本発明の実施形態に係る発光装置の製造方法は、活性領域と非活性領域とを有する基板１００を設けるステップと、前記活性領域の上に発光素子２００を形成するステップと、前記非活性領域の上に、前記基板１００の上下側に支持されて前記発光素子２００に電源を供給するための電極接続素子３００を形成するステップと、を含む。
【００６７】
基板１００を設けるステップにおいては、活性領域と非活性領域とが限定される基板１００を設ける。ここで、基板１００は、フレキシブルディスプレイの実現のために、可撓性を有する透明基板、例えば、高分子プラスチックを用いて形成されてもよく、フィルムタイプに形成されてもよい。
【００６８】
活性領域の上に発光素子２００を形成する過程においては、基板１００上における活性領域の内側に発光素子２００を形成し、発光素子２００は、自発発光現象を用いた有機化合物層を備える有機発光素子であってもよい。また、発光素子２００は、基板１００の上に形成される電極層と、前記電極層の上に形成される有機化合物層と、前記有機化合物層の上に形成される導電層と、を備えていてもよいことは前述した通りである。基板１００の上に発光素子２００を形成する過程は、周知であるため、これについての詳細な説明は省略する。
【００６９】
電極接続素子３００を形成する過程においては、基板１００の非活性領域の上に基板１００の上下側に支持されて発光素子２００に電源を供給するための電極接続素子３００を形成する。
【００７０】
前述したように、電極端子２１０は、基板１００の活性領域上の電極層から非活性領域上へと延設されてもよい。ここで、電極端子２１０は、電極層と同様に、酸化インジウムスズ（ＩＴＯ：Ｉｎｄｉｕｍ  Ｔｉｎ  Ｏｘｉｄｅ）、酸化インジウム亜鉛（ＩＺＯ：Ｉｎｄｉｕｍ  Ｚｉｎｃ  Ｏｘｉｄｅ）、酸化インジウムスズ亜鉛（ＩＴＺＯ：Ｉｎｄｉｕｍ  Ｔｉｎ  Ｚｉｎｃ  Ｏｘｉｄｅ）などの透明な導電性物質から形成されてもよく、これにより、電極層の上に形成される有機化合物層から発せられる光が電極層による干渉なしに基板１００の下部に放出されるようにできる。
【００７１】
このため、電極接続素子３００を形成する過程においては、基板１００の非活性領域の上に電極端子２１０と接触されて電気的に接続されるように電極接続素子３００を形成する。前述したように、電極接続素子３００は、電極端子２１０の上面に接触される上接続部材３１０と、前記基板１００の下面を支持する下接続部材３５０と、前記上接続部材３１０及び下接続部材３５０を連結する連結部材３３０と、を備える。ここで、上接続部材３１０は、基板１００の上側、より詳しくは、基板１００の非活性領域の上に延びる電極端子２１０の上に位置し、電極端子２１０と接触されて電気的に接続される。なお、下接続部材３５０は、基板１００の下側に位置し、基板１００の下面を加圧して支持する。ここで、連結部材３３０は、上接続部材３１０と下接続部材３５０とを連結し、これにより、電極接続素子３００は、基板１００の上下側に支持されて結合されることが可能になる。
【００７２】
このような電極接続素子３００は、連結部材３３０が上接続部材３１０の一方の端から下方へと折り曲げられて形成され、下接続部材３５０が連結部材３３０の下端から上接続部材３１０に沿った方向に延設されて基板１００の一方の側面、すなわち、基板１００の一方の側面の端部に嵌合させて形成されてもよいが、電極接続素子３００は、上接続部材３１０により基板１００上の電極端子２１０と接触され、下接続部材３５０により基板１００の下面を加圧して支持するために、基板１００を貫通して前記基板１００及び電極端子２１０に結合されてもよい。
【００７３】
電極接続素子３００を基板１００を貫通して基板１００及び電極端子２１０に結合させて形成する場合、電極接続素子３００を形成するステップは、前記基板１００を貫通する貫通孔Ｈを形成するステップと、前記貫通孔Ｈを介して前記電極接続素子３００を固定するステップと、を含んでいてもよい。
【００７４】
ここで、本発明の一実施形態に従い電極接続素子３００を固定するステップは、図５から図９に示すように行われてもよい。すなわち、本発明の一実施形態に従い電極接続素子３００を固定するステップは、基板１００の上に、水平部及び前記水平部の両端からそれぞれ下向きに折り曲げられた垂直部３３１、３３３を備えるプレート部材を配設するステップと、前記貫通孔Ｈに前記垂直部３３１、３３３を嵌合するステップと、前記基板１００の下面から露出される前記垂直部３３１、３３３を内側に折り曲げるステップと、を含んでいてもよい。
【００７５】
すなわち、本発明の一実施形態に従い電極接続素子３００を固定するためには、前述した貫通孔Ｈを形成するステップにおいて、前記プレート部材の両端からそれぞれ下向きに折り曲げられた垂直部３３１、３３３に対応する位置に２本の貫通孔Ｈを形成する。このような貫通孔Ｈは、基板１００にのみ形成してもよく、基板１００及び電極端子２１０の両方ともに形成してもよい。
【００７６】
基板１００または基板１００及び電極端子２１０に貫通孔Ｈを形成した後、水平部及び前記水平部の両端からそれぞれ下向きに折り曲げられた垂直部３３１、３３３を備えるプレート部材を基板１００の上に、すなわち、基板１００の上に形成される電極端子２１０の上に配設する。ここで、プレート部材は、上接続部材３１０に対応する水平部を有し、水平部の両端からそれぞれ下向きに折り曲げられた垂直部３３１、３３３を備える。なお、水平部の底面には、底面から突設される複数の突起部３１５が形成されてもよく、このような突起部３１５により水平部と電極端子２１０との間の接触性を向上させることができることは前述した通りである。
【００７７】
電極端子２１０の上にプレート部材が配設されれば、プレート部材を下に押し付けて各垂直部３３１、３３３を貫通孔Ｈに嵌合する。このように、プレート部材を下に押し付けて各垂直部３３１、３３３を貫通孔Ｈに嵌合する過程は、水平部、すなわち、上接続部材３１０が電極端子２１０の上面と接触されるまでプレート部材を押し付けて行われ、上接続部材３１０が電極端子２１０の上面と接触されて電極端子２１０を所定の圧力で加圧すれば、貫通孔Ｈを介して基板１００の下面から露出される各垂直部３３１、３３３を向かい合う方向である内側にそれぞれ折り曲げる。ここで、垂直部３３１、３３３をそれぞれ内側に折り曲げるステップは、垂直部３３１、３３３が基板１００の下面を所定の圧力で加圧するように行われてもよく、垂直部３３１、３３３をそれぞれ内側に折り曲げるステップにより連結部材３３０及び下接続部材３５０を形成することができる。
【００７８】
また、本発明の一実施形態に係る電極接続素子３００を固定するステップは、貫通孔Ｈに垂直部３３１、３３３を嵌合するステップの前に、基板１００の下部に、中心部が基板１００の底面に向かって突出するように曲成される弾性部材３７０を配設するステップをさらに含んでいてもよい。配設された弾性部材３７０は、垂直部３３１、３３３をそれぞれ内側に折り曲げるステップにおいて、各垂直部３３１、３３３から形成される第１の下接続部材３５２及び第２の下接続部材３５４により両端が支持されて基板１００を付勢し、これにより、電極接続素子３００は、基板１００に弾性支持されて基板１００を下から弾性的に付勢して電極端子２１０の上面と上接続部材３１０との間の接触を保持することが可能になる。なお、この場合、弾性部材３７０は、前述したように、中心部が基板１００の下面に向かって突出するように曲成されて、基板１００を下から弾性的に付勢することができる。
【００７９】
さらに、本発明の他の実施形態に従い電極接続素子３００を固定するステップは、図１０から図１２に示すように行われてもよい。すなわち、本発明の他の実施形態に従い電極接続素子３００を固定するステップは、基板１００の上と下に、貫設された上接続部材３１０と下接続部材３５０とをそれぞれ位置させるステップと、前記上接続部材３１０の上から前記貫通孔Ｈにボルト３３６を嵌入させるステップと、前記基板１００の下面から露出されるボルト３３６にナット３３８を締め付けるステップと、を備えていてもよい。
【００８０】
すなわち、本発明の他の実施形態に従い電極接続素子３００を固定するためには、前述した貫通孔Ｈを形成するステップにおいて、基板１００または基板１００及び電極端子２１０に、連結部材３３０を構成するボルト３３６を嵌入させるための１本の貫通孔Ｈを形成する。また、上接続部材３１０及び下接続部材３５０は、前記貫通孔Ｈに対応するように貫設され、貫設された上接続部材３１０を電極端子２１０の上に位置させ、貫設された下接続部材３５０を基板１００の下に位置させる。ここで、上接続部材３１０は、底面から突設される複数の突起部３１５を備えていてもよく、これらの突起部３１５により上接続部材３１０と電極端子２１０との間の接触性を向上させることができることは前述した通りである。
【００８１】
このように、基板１００の上と下に、貫設された上接続部材３１０及び下接続部材３５０をそれぞれ位置させ、上接続部材３１０の上から貫通孔Ｈにボルト３３６を嵌入させる。ボルト３３６は、基板１００の下面から一方の端部が露出されるまで嵌入され、基板１００の下面からボルト３３６の一方の端部が露出されれば、露出されるボルト３３６の一方の端部にナット３３８を締め付けることができる。ナット３３８は、ボルト３３６により上接続部材３１０が電極端子２１０の上面と接触されて加圧し、下接続部材３５０が基板１００の下面を加圧するように締め付けられてもよく、これらの上接続部材３１０と下接続部材３５０との連結は、上接続部材３１０の上からリベット（図示せず）を嵌入させ、基板１００の下面から露出されるリベットの端部を加工して行われてもよいことはいうまでもない。本発明の他の実施形態によれば、ボルト３３６とナット３３８またはリベットにより連結部材３３０を構成することが可能になり、これにより、電極端子２１０の上面に接触される上接続部材３１０、基板１００の下面を支持する下接続部材３５０並びに前記上接続部材３１０及び下接続部材３５０を連結する連結部材３３０を備える電極接続素子３００を形成することが可能になる。この場合、前述したように、電極接続素子３００は、基板１００の下面から露出されるボルトまたはリベットに結合されて基板１００を付勢する弾性部材をさらに備えていてもよいことはいうまでもない。
【００８２】
前述した過程により基板１００の非活性領域の上に電極接続素子３００が形成されれば、発光素子２００は、電極接続素子３００により外部回路と電気的に接続される。すなわち、本発明の実施形態に係る発光装置の製造方法は、前記電極接続素子３００に外部回路と連結されるための配線ラインＬを半田付けＳするステップをさらに含んでいてもよい。前述したように、電極接続素子３００、より詳しくは、電極接続素子３００に備えられる上接続部材３１０は、導電性の高い金属物質を含むので、外部駆動回路と連結されるための配線ラインＬ、例えば、外部の導線またはプリント回路基板は、電極接続素子３００に半田付けＳにより電気的に接続可能になる。
【００８３】
このように、本発明の実施形態に係る電極接続素子、これを備える発光装置及び発光装置の製造方法によれば、異方性導電フィルムを使用せずとも電極端子２１０を外部駆動回路と電気的に接続することが可能になって製造コストを削減し、これに伴い、生産性を向上させることができる。
【００８４】
また、発光素子２００に電源を供給するための電極接続素子３００を基板１００に支持されるように物理的に固定し、固定された電極接続素子３００に外部駆動回路を連結することにより、外部駆動回路との電気的な接続のためのボンディング過程を簡素化させ、装備の構成を単純化させることができる。
【００８５】
のみならず、電極端子２１０が可撓性基板の上に形成される場合、可撓性基板の繰り返し的な歪みにも拘わらず、基板との結合性を向上させることができ、これにより、外部駆動回路との電気的な接続特性及び安定性を向上させることができる。
【００８６】
以上、本発明の好適な実施形態が特定の用語を用いて説明及び図示されたが、これらの用語は、単に本発明を明確に説明するためのものに過ぎず、本発明の実施形態及び記述された用語は、特許請求の範囲の技術的思想及び範囲から逸脱することなく、種々の変更及び変化が加えられるということは明らかである。これらの変形された実施形態は、本発明の思想及び範囲から個別的に理解されてはならず、本発明の特許請求の範囲内に属するものといえるべきである。
【図１】
2021513721.tif 000003
【図２】
2021513721.tif 000004
【図３】
2021513721.tif 000005
【図４】
2021513721.tif 000006
【図５】
2021513721.tif 000007
【図６】
2021513721.tif 000008
【図７】
2021513721.tif 000009
【図８】
2021513721.tif 000010
【図９】
2021513721.tif 000011
【図１０】
2021513721.tif 000012
【図１１】
2021513721.tif 000013
【図１２】
2021513721.tif 000014
【国際調査報告】
2021513721.tif 000015
2021513721.tif 000016
2021513721.tif 000017
2021513721.tif 000018